【手続補正書】
【提出日】令和2年7月13日(2020.7.13)
【手続補正１】
【補正対象書類名】特許請求の範囲
【補正対象項目名】全文
【補正方法】変更
【補正の内容】
【特許請求の範囲】
【請求項１】
設定値に応じた制御を実行可能な遊技機であって、
前記設定値の設定を許可するための設定許可状態に制御可能な設定許可状態制御手段と、
前記設定値を確認するための設定確認状態に制御可能な設定確認状態制御手段と、
前記設定許可状態に制御されたことを特定可能な特定情報を記憶する特定情報記憶手段と、
遊技の進行を制御可能であり、前記設定値を表示可能な表示手段を有する遊技制御手段と、
可変表示を実行可能な可変表示手段と、
実行されていない可変表示に関する情報を保留記憶として記憶可能な保留記憶手段と、
信号を出力可能な信号出力手段と、を備え、
前記設定許可状態の制御が終了したことに基づいて前記特定情報が消去され、
前記特定情報記憶手段は、前記設定許可状態の制御が終了することなく当該遊技機への電力供給が停止されても前記特定情報を記憶可能であり、
当該遊技機への電力供給が開始されたときに前記特定情報記憶手段に前記特定情報が記憶されていることに基づいて前記表示手段においてエラー報知を実行可能なエラー報知手段を備え、
当該遊技機への電力供給が開始されたときに前記特定情報記憶手段に前記特定情報が記憶されている場合、
特定操作が行われたことにより前記設定許可状態に制御され、
前記特定操作が行われなかったことにより前記設定許可状態と遊技可能状態の何れの状態にも制御されず、
前記設定許可状態に制御されるときに、前記保留記憶が初期化され、
前記設定確認状態に制御されるときに、前記保留記憶が初期化されず、
前記信号出力手段は、
前記設定許可状態に制御されているときに、特定信号を出力可能であり、
前記設定確認状態に制御されているときに、前記特定信号を出力可能である、
ことを特徴とする遊技機。
【手続補正２】
【補正対象書類名】明細書
【補正対象項目名】０００２
【補正方法】変更
【補正の内容】
【０００２】
特許文献１に示すように、複数段階の設定値を外部からの設定変更操作に基づいて変更する設定変更手段を備える遊技機が提案されている。
【手続補正３】
【補正対象書類名】明細書
【補正対象項目名】０００３
【補正方法】変更
【補正の内容】
【０００３】
【特許文献１】特開２０１０−２００９０２号公報（段落０００７）
【手続補正４】
【補正対象書類名】明細書
【補正対象項目名】０００４
【補正方法】変更
【補正の内容】
【０００４】
特許文献１に記載されたような遊技機では、設定値の設定を行う際に電力供給が停止された場合に、遊技機の状態を適切に報知する必要がある。
【手続補正５】
【補正対象書類名】明細書
【補正対象項目名】０００５
【補正方法】変更
【補正の内容】
【０００５】
この発明は、上記の実状に鑑みてなされたものであり、設定値の設定を行う際に電力供給が停止された場合に、遊技機の状態を適切に報知することを目的とする。
【手続補正６】
【補正対象書類名】明細書
【補正対象項目名】０００６
【補正方法】変更
【補正の内容】
【０００６】
上記目的を達成するため、本願発明に係る遊技機は、
設定値に応じた制御を実行可能な遊技機であって、
前記設定値の設定を許可するための設定許可状態に制御可能な設定許可状態制御手段と、
前記設定値を確認するための設定確認状態に制御可能な設定確認状態制御手段と、
前記設定許可状態に制御されたことを特定可能な特定情報を記憶する特定情報記憶手段と、
遊技の進行を制御可能であり、前記設定値を表示可能な表示手段を有する遊技制御手段と、
可変表示を実行可能な可変表示手段と、
実行されていない可変表示に関する情報を保留記憶として記憶可能な保留記憶手段と、
信号を出力可能な信号出力手段と、を備え、
前記設定許可状態の制御が終了したことに基づいて前記特定情報が消去され、
前記特定情報記憶手段は、前記設定許可状態の制御が終了することなく当該遊技機への電力供給が停止されても前記特定情報を記憶可能であり、
当該遊技機への電力供給が開始されたときに前記特定情報記憶手段に前記特定情報が記憶されていることに基づいて前記表示手段においてエラー報知を実行可能なエラー報知手段を備え、
当該遊技機への電力供給が開始されたときに前記特定情報記憶手段に前記特定情報が記憶されている場合、
特定操作が行われたことにより前記設定許可状態に制御され、
前記特定操作が行われなかったことにより前記設定許可状態と遊技可能状態の何れの状態にも制御されず、
前記設定許可状態に制御されるときに、前記保留記憶が初期化され、
前記設定確認状態に制御されるときに、前記保留記憶が初期化されず、
前記信号出力手段は、
前記設定許可状態に制御されているときに、特定信号を出力可能であり、
前記設定確認状態に制御されているときに、前記特定信号を出力可能である、
ことを特徴とする。
【手続補正７】
【補正対象書類名】明細書
【補正対象項目名】０００７
【補正方法】変更
【補正の内容】
【０００７】
特開２０１０−２００９０２号公報（図１２）に示すように、遊技者にとって有利度が異なる複数の設定値のうちのいずれかの設定値に設定可能であり、設定変更前後の設定値に応じたキャラクタ画像を表示する遊技機が提案されている。特開２０１０−２００９０２号公報（図１２）に記載されたような、複数の設定値のうちのいずれかの設定値に設定可能な遊技機に関しては、設定に関する示唆を行う演出が実行されたときに、遊技者が興趣を感じるようにすることが好ましい。
本願の他の発明は、上記の実状に鑑みてなされたものであり、複数の設定値のうちのいずれかの設定値に設定可能な遊技機に関する演出の興趣を向上させることを目的とする。
（１）本願の他の発明の遊技機は、
有利度が異なる複数の設定値（大当り判定用乱数の範囲が異なる設定値１〜６）のうちのいずれかの設定値に設定可能な遊技機（パチンコ遊技機１）であって、
遊技者にとって有利な有利状態（大当り遊技状態）に制御可能な有利状態制御手段（ＣＰＵ１０３）と、
前記有利状態（大当り遊技状態）となることを示唆する予告演出（擬似連演出、カットイン予告演出、スーパーリーチ）を実行可能な予告演出制御手段（演出制御用ＣＰＵ１２０）と、
設定に関する示唆を行う示唆演出（第５設定示唆演出）を実行可能な示唆演出制御手段（演出制御用ＣＰＵ１２０）と、
第１表示（第１演出画像２７ＴＭ１００）を更新するとともに、前記第１表示とは異なる第２表示（第２演出画像２７ＴＭ２００）を更新する特定演出（分割演出）を実行可能な特定演出制御手段（演出制御用ＣＰＵ１２０）と、を備え、
前記予告演出制御手段（演出制御用ＣＰＵ１２０）は、前記第１表示（第１演出画像２７ＴＭ１００）に対応する予告演出（変動開始時演出決定処理において決定された当該変動表示の表示結果を示唆する擬似連演出、カットイン予告演出、スーパーリーチ）と前記第２表示（第２演出画像２７ＴＭ２００）と前記第２表示に対応する予告演出（ムービー中の画像として擬似連演出、カットイン予告演出、スーパーリーチ）を実行可能であり、
前記示唆演出制御手段（演出制御用ＣＰＵ１２０）は、前記第１表示に対応する示唆演出の態様と前記第２表示に対応する示唆演出の態様を異ならせることが可能である（第１演出画像２７ＴＭ１００に対応した第５設定示唆演出の実行割合（４０％）は、第２演出画像２７ＴＭ２００に対応した第５設定示唆演出の実行割合（２０％）よりも高い）
ことを特徴とする。
このような構成によれば、示唆演出の興趣を向上させることができる。
（２）上記（１）の遊技機において、
前記予告演出制御手段（演出制御用ＣＰＵ１２０）は、前記第１表示（第１演出画像２７ＴＭ１００）に対応する予告演出の態様と、前記第２表示（第２演出画像２７ＴＭ２００）に対応する予告演出の態様を異ならせることが可能である（擬似連演出の実行回数（２回と１回）、カットイン画像の態様（「大チャンス！！」と「チャンス！」）、及び、スーパーリーチ中に出現するキャラクタ（キャラクタＢとキャラクタＡ））ようにしてもよい。
このような構成によれば、特定演出の興趣を一層向上させることができる。